(57)【要約】      （修正有）【課題】各種災害が発生した際の医療現場における傷病者情報などを管理するための災害時情報管理システムを提供する。【解決手段】災害時情報管理システムの制御サーバは，傷病者情報入力受付処理部と，生理学的情報入力受付処理部と，解剖学的情報入力受付処理部と，バイタルサイン情報入力受付処理部と，傷病者情報記憶部と，災害医療の現場にいる利用者が利用する利用者端末からの要求に応じて，各情報のいずれか一以上をその利用者端末に表示させる傷病者情報表示処理部と，を備えている。傷病者情報記憶部は，傷病者情報として傷病者の所在エリアを示す情報を含む。傷病者情報表示処理部は，災害医療現場の現場指揮本部にいる利用者が利用する利用者端末からの要求に応じて，傷病者情報記憶部に記憶する傷病者の所在エリアを示す情報を検索し，検索結果に基づいて，所在エリアごとの傷病者の人数を含む情報を，利用者端末に表示させる。【選択図】図１
2018120263.tif 000002
【特許請求の範囲】
【請求項１】
災害医療現場で利用する災害時情報管理システムであって，
前記災害時情報管理システムは，
傷病者の情報の入力を受け付ける傷病者情報入力受付処理部と，
傷病者の生理学的情報の入力を受け付ける生理学的情報入力受付処理部と，
傷病者の解剖学的情報の入力を受け付ける解剖学的情報入力受付処理部と，
傷病者のバイタルサイン情報の入力を受け付けるバイタルサイン情報入力受付処理部と，
前記傷病者情報，生理学的情報，解剖学的情報，バイタルサイン情報を記憶する傷病者情報記憶部と，
災害医療の現場にいる利用者が利用する利用者端末からの要求に応じて，前記傷病者情報，生理学的情報，解剖学的情報，バイタルサイン情報のいずれか一以上をその利用者端末に表示させる傷病者情報表示処理部と，を備えており，
前記傷病者情報記憶部は，
前記傷病者情報として前記傷病者の所在エリアを示す情報を含み，
前記傷病者情報表示処理部は，
前記災害医療現場の現場指揮本部にいる利用者が利用する利用者端末からの要求に応じて，前記傷病者情報記憶部に記憶する傷病者の所在エリアを示す情報を検索し，
前記検索結果に基づいて，所在エリアごとの傷病者の人数を含む情報を，その利用者端末に表示させる，
ことを特徴とする災害時情報管理システム。
【請求項２】
前記災害時情報管理システムは，さらに，
災害医療の現場にいる利用者の情報を記憶する利用者情報記憶部と，
前記傷病者情報記憶部の傷病者の所在エリアの情報と，前記利用者情報記憶部の利用者情報における利用者の配置エリアの情報とを用いて，エリアにおける傷病者数と利用者数とを算出し，算出した傷病者数と利用者数とを比較して，所定条件を充足した場合に通知を行う利用者判定処理部と，を備える，
ことを特徴とする請求項１に記載の災害時情報管理システム。
【請求項３】
前記利用者判定処理部は，
前記算出した傷病者数と利用者数とを比較して，所定条件を充足した場合に，現場指揮本部にいる一または複数の利用者が利用する利用者端末に対して通知を行う，
ことを特徴とする請求項２に記載の災害時情報管理システム。
【請求項４】
前記利用者判定処理部は，
前記算出した傷病者数と利用者数とを比較して，所定条件を充足した場合に，現場にいる一または複数の利用者の利用者端末に対して通知を行う，
ことを特徴とする請求項２または請求項３に記載の災害時情報管理システム。
【請求項５】
前記利用者判定処理部は，
各エリアにおける傷病者数と利用者数とを算出し，算出した傷病者数と利用者数とを比較して，傷病者数と利用者数との比率または利用者数が閾値を基準とした条件を充足したエリアがある場合には，利用者が不足していないエリアにいる一または複数の利用者の利用者端末に対して，前記条件を充足したエリアに関する通知を行う，
ことを特徴とする請求項２から請求項４のいずれかに記載の災害時情報管理システム。
【請求項６】
前記利用者判定処理部は，
各エリアにおける傷病者数と利用者数とを算出し，算出した傷病者数と利用者数とを比較して，傷病者数と利用者数との比率または利用者数が閾値を基準とした条件を充足したエリアがある場合には，利用者が不足していないエリアのうち，不足数に対応する数の利用者を特定し，特定した利用者の利用者端末に対して，前記条件を充足したエリアに関する通知を行う，
ことを特徴とする請求項２から請求項５のいずれかに記載の災害時情報管理システム。
【請求項７】
前記傷病者情報記憶部は，さらに，
前記傷病者情報の入力が行われた日時情報と入力を行った利用者の情報とを記憶しており，
前記利用者判定処理部は，
前記算出した傷病者数と利用者数とを比較して，所定条件を充足した場合に，現場にいる利用者のうち，前記傷病者情報記憶部を参照して，所定時間内の入力履歴がある利用者を除外し，除外した一または複数の利用者の利用者端末に対して通知を行う，
ことを特徴とする請求項２から請求項６のいずれかに記載の災害時情報管理システム。
【請求項８】
前記利用者が利用する利用者端末には位置情報検出装置を備えており，
各エリアを位置情報に基づいて設定されており，
前記災害時情報管理システムは，
前記位置情報検出装置で検出した位置情報を前記利用者端末から受け付けることで，前記利用者の配置エリアを特定し，前記利用者情報記憶部の利用者情報における利用者の配置エリアの情報を更新する，
ことを特徴とする請求項２から請求項７のいずれかに記載の災害時情報管理システム。
【請求項９】
前記利用者が利用する利用者端末には位置情報検出装置を備えており，
エリアごとに位置情報が設定されており，
前記災害時情報管理システムは，
前記位置情報検出装置で検出した位置情報を前記利用者端末から受け付けることで，前記利用者の配置エリアを特定し，その配置エリアをその利用者が情報の入力を行う傷病者の所在エリアとして，前記傷病者情報記憶部に記憶するその傷病者の所在エリアの情報を更新する，
ことを特徴とする請求項２から請求項８のいずれかに記載の災害時情報管理システム。
【請求項１０】
傷病者に割り当てられたトリアージタグを識別するトリアージタグ識別情報がコード化されており，前記コード化されたトリアージ識別情報を，利用者端末の撮像装置で読み取ることで，前記トリアージ識別情報をその利用者端末で取得する，
ことを特徴とする請求項１から請求項９のいずれかに記載の災害時情報管理システム。
【請求項１１】
傷病者に割り当てられたトリアージタグに記載されたトリアージタグ識別情報を，利用者端末の撮像装置で撮像し，その画像をＯＣＲ機能でテキスト認識することで，前記トリアージ識別情報をその利用者端末で取得する，
ことを特徴とする請求項１から請求項９のいずれかに記載の災害時情報管理システム。
【発明の詳細な説明】
【技術分野】
【０００１】
本発明は，各種災害が発生した際の医療現場における傷病者情報などを管理するための災害時情報管理システムに関する。
【背景技術】
【０００２】
航空機事故などの大規模事故や大規模な自然災害など（以下，これらを総称して「各種災害」という）が発生した場合には，ＤＭＡＴ（Disaster Medical Assistance Team）と呼ばれる災害時派遣医療チームが，災害現場の傷病者の治療にあたる。この際には，傷病の度合いによって治療の優先度が決定され，優先度が高い傷病者から治療が行われる。このような治療方法は「トリアージ」と一般的に呼ばれている。
【０００３】
図３８にトリアージの一般的な手順を模式的に示す。トリアージでは，まず運ばれてきた傷病者がトリアージポストとよばれるテントなどで傷病の度合いが判定される（一次トリアージ）。この際に，トリアージタグと呼ばれる傷病の度合いを，「黒」（救命困難群），「赤」（重傷群），「黄」（中等傷群），「緑」（軽傷群）で示し，傷病者に取り付ける。また所定事項をトリアージタグに記入する。そして，各傷病度合いに応じた治療を行うテントに傷病者が搬送される。各テントでは傷病者に対する安定化処置が行われる（二次トリアージ）。この治療では，トリアージタグに記入された情報などを参考にしながら行われる。また，治療の結果，安定化した傷病者については搬送エリアでの取扱いとなり，搬送エリアから各病院に搬送される。さらに，これらの各テントとは別に災害現場の全体を管理する現場指揮本部があり，現場指揮本部は全体を統括している。なお，安定化した傷病者は治療を行うテントから搬送エリアに実際に移動するのではなく，傷病者情報のみが搬送エリアの取扱いとなるものであって，治療テントから搬送エリアへの物理的な移動は行われない。治療テントから搬送エリアへの移動とは，傷病者が搬送可能になり，搬送エリアの取扱いになったことを示す概念的なものである。また，各病院への搬送は，搬送エリアの取扱いとなった傷病者が実際にいる治療テントから行われる。
【０００４】
従来の災害時の医療現場では，主に紙のトリアージタグと適宜，紙のカルテなどが用いられており，情報伝達には主に無線が利用されている。また，各傷病者の人数などの管理は，テントなどに設置されたホワイトボードに手書きで逐次，記入され，管理がなされている。
【０００５】
このような災害現場では，一次トリアージ，二次トリアージ，搬送エリア，現場指揮本部の各所で情報の連携が正確に行われることが望まれる。しかしながら，従来では手書きおよび無線での情報のやりとりなどが基本なので，誤伝達が発生してしまう。また，トリアージタグに記入された情報は，複数の医師，看護師が記入，確認するが，多忙を極めていることもあり，字が読み取れない，あるいは誤って読み取る，といったことが発生する。そのため，情報の正確性が確保できない場合が発生する。
【０００６】
そこで，たとえば特許文献１乃至特許文献７に記載のように，ＩＣタグやデジタルペンなどの特殊な装置を用いたトリアージタグなどを利用することで，誤伝達の発生を防止する発明が開示されている。また特許文献８には，傷病者に救急車が必要か否かなどのトリアージの判断を行うことが可能なシステムが開示されている。さらに，厚生労働省は，災害の状況，各病院の受入可能状況などの情報の共有を行う広域災害救急医療情報システム（ＥＭＩＳ：Emergency Medical Information System）を運用している（非特許文献１）。
【先行技術文献】
【特許文献】
【０００７】
【特許文献１】特開２００８−２８２２１８号公報
【特許文献２】国際公開ＷＯ２０１１／０２４８８０号
【特許文献３】特開２０１１−４８７３４号公報
【特許文献４】特開２０１３−５０８９４号公報
【特許文献５】特開２０１４−２１５６４０号公報
【特許文献６】特開２０１５−５５９９６号公報
【特許文献７】特開２０１５−１８５１４８号公報
【特許文献８】特開２０１３−４１４７９号公報
【非特許文献】
【０００８】
【非特許文献１】厚生労働省，”広域災害救急医療情報システム”，＜インターネット：ＵＲＬ：http://www.wds.emis.go.jp/＞
【発明の概要】
【発明が解決しようとする課題】
【０００９】
上述の特許文献１乃至特許文献７に記載の発明では，ＩＣタグやデジタルペンなどの特殊な装置が必要となり，既存のトリアージタグを利用することができなくなる。また，特許文献８に記載の発明では，傷病者にすぐの治療が必要かのトリアージの判断を行うことはできるが，各テントでの情報の連携や，災害現場での医療活動の際の傷病者の管理までを行うことはできない。さらに，非特許文献１は広域の災害状況の把握には適しているが，実際の災害現場で使用するには不向きである。
【００１０】
また，災害現場での医療活動を円滑，的確に遂行するためには，全体の傷病者の人数，各テントの傷病者の人数，隊員の配置状況などが管理されなければならないが，それを管理することは上述の各特許文献，非特許文献では行うことはできない。また，各テントの医師，看護師などは，ほかのテントの傷病者の状況を確認する必要があるが，それを確認することもできない。
【課題を解決するための手段】
【００１１】
そこで本発明者らは上記課題に鑑み，災害時情報管理システムを発明した。
【００１２】
第１の発明は，災害医療現場で利用する災害時情報管理システムであって，前記災害時情報管理システムは，傷病者の情報の入力を受け付ける傷病者情報入力受付処理部と，傷病者の生理学的情報の入力を受け付ける生理学的情報入力受付処理部と，傷病者の解剖学的情報の入力を受け付ける解剖学的情報入力受付処理部と，傷病者のバイタルサイン情報の入力を受け付けるバイタルサイン情報入力受付処理部と，前記傷病者情報，生理学的情報，解剖学的情報，バイタルサイン情報を記憶する傷病者情報記憶部と，災害医療の現場にいる利用者が利用する利用者端末からの要求に応じて，前記傷病者情報，生理学的情報，解剖学的情報，バイタルサイン情報のいずれか一以上をその利用者端末に表示させる傷病者情報表示処理部と，を備えており，前記傷病者情報記憶部は，前記傷病者情報として前記傷病者の所在エリアを示す情報を含み，前記傷病者情報表示処理部は，前記災害医療現場の現場指揮本部にいる利用者が利用する利用者端末からの要求に応じて，前記傷病者情報記憶部に記憶する傷病者の所在エリアを示す情報を検索し，前記検索結果に基づいて，所在エリアごとの傷病者の人数を含む情報を，その利用者端末に表示させる，災害時情報管理システムである。
【００１３】
本発明によって，災害医療の現場と現場指揮本部とで情報を共有化することができる。すなわち，災害現場で治療にあたる医療従事者や支援員などは，傷病者の情報を適宜，閲覧することができ，また現場指揮本部で全体の管理を行う者は，傷病者のエリアごとの状況などを適宜、閲覧し，管理することができる。これによって，傷病者が移動等しても，適切な判断を現場，現場指揮本部のいずれでも行うことができる。また情報の誤伝達等も発生しなくなる。
【００１４】
上述の発明において，前記災害時情報管理システムは，さらに，災害医療の現場にいる利用者の情報を記憶する利用者情報記憶部と，前記傷病者情報記憶部の傷病者の所在エリアの情報と，前記利用者情報記憶部の利用者情報における利用者の配置エリアの情報とを用いて，エリアにおける傷病者数と利用者数とを算出し，算出した傷病者数と利用者数とを比較して，所定条件を充足した場合に通知を行う利用者判定処理部と，を備える，災害時情報管理システムのように構成することができる。
【００１５】
本発明によって，傷病者数と利用者数とを比較し，たとえば医療従事者などの利用者数が不足している場合には，自動的にその通知を行うことができる。そのため，迅速に不足分を補うことが可能となる。
【００１６】
上述の発明において，前記利用者判定処理部は，前記算出した傷病者数と利用者数とを比較して，所定条件を充足した場合に，現場指揮本部にいる一または複数の利用者が利用する利用者端末に対して通知を行う，災害時情報管理システムのように構成することができる。
【００１７】
上記通知は現場指揮本部にいる利用者に対して行うことで，現場指揮本部から各エリアの状況を適切に把握し，医療従事者などの移動の指示を行うことができる。
【００１８】
上述の発明において，前記利用者判定処理部は，前記算出した傷病者数と利用者数とを比較して，所定条件を充足した場合に，現場にいる一または複数の利用者の利用者端末に対して通知を行う，災害時情報管理システムのように構成することができる。
【００１９】
上記通知は現場にいる医療従事者や支援員などの利用者に対して行うことで，現場にいる者が，迅速に各エリアの状況などを把握することができる。そのため自主的な移動等の行動につなげることもできる。
【００２０】
上述の発明において，前記利用者判定処理部は，各エリアにおける傷病者数と利用者数とを算出し，算出した傷病者数と利用者数とを比較して，傷病者数と利用者数との比率または利用者数が閾値を基準とした条件を充足したエリアがある場合には，利用者が不足していないエリアにいる一または複数の利用者の利用者端末に対して，前記条件を充足したエリアに関する通知を行う，災害時情報管理システムのように構成することができる。
【００２１】
上記通知は，利用者が不足していないエリアの医療従事者や支援員などの利用者に対して通知することで，そのエリアの医療従事者や支援員などの利用者の自主的な移動等の行動につなげることもできる。
【００２２】
上述の発明において，前記利用者判定処理部は，各エリアにおける傷病者数と利用者数とを算出し，算出した傷病者数と利用者数とを比較して，傷病者数と利用者数との比率または利用者数が閾値を基準とした条件を充足したエリアがある場合には，利用者が不足していないエリアのうち，不足数に対応する数の利用者を特定し，特定した利用者の利用者端末に対して，前記条件を充足したエリアに関する通知を行う，災害時情報管理システムのように構成することができる。
【００２３】
上記通知は，利用者が不足していないエリアの医療従事者や支援員などの利用者すべてに送るのではなく，不足数に応じた利用者に通知をすることで，利用者の治療などの妨げを極力，抑止することができる。
【００２４】
上述の発明において，前記傷病者情報記憶部は，さらに，前記傷病者情報の入力が行われた日時情報と入力を行った利用者の情報とを記憶しており，前記利用者判定処理部は，前記算出した傷病者数と利用者数とを比較して，所定条件を充足した場合に，現場にいる利用者のうち，前記傷病者情報記憶部を参照して，所定時間内の入力履歴がある利用者を除外し，除外した一または複数の利用者の利用者端末に対して通知を行う，災害時情報管理システムのように構成することができる。
【００２５】
傷病者の情報の入力履歴が所定時間内にある場合には，その入力を行った利用者は，いまだ治療等をおこなっている可能性が高い。そのため，そのような利用者に通知を行っても，治療等の妨げとなるおそれがある。そこで本発明のように構成することで，利用者の妨げを極力，抑止することができる。
【００２６】
上述の発明において，前記利用者が利用する利用者端末には位置情報検出装置を備えており，各エリアを位置情報に基づいて設定されており，前記災害時情報管理システムは，前記位置情報検出装置で検出した位置情報を前記利用者端末から受け付けることで，前記利用者の配置エリアを特定し，前記利用者情報記憶部の利用者情報における利用者の配置エリアの情報を更新する，災害時情報管理システムのように構成することができる。
【００２７】
上述の発明において，前記利用者が利用する利用者端末には位置情報検出装置を備えており，エリアごとに位置情報が設定されており，前記災害時情報管理システムは，前記位置情報検出装置で検出した位置情報を前記利用者端末から受け付けることで，前記利用者の配置エリアを特定し，その配置エリアをその利用者が情報の入力を行う傷病者の所在エリアとして，前記傷病者情報記憶部に記憶するその傷病者の所在エリアの情報を更新する，災害時情報管理システムのように構成することができる。
【００２８】
医療従事者や支援員などの利用者の配置エリア，傷病者の所在エリアは，これらの発明を用いることで自動的に更新することができる。
【００２９】
上述の発明において，傷病者に割り当てられたトリアージタグを識別するトリアージタグ識別情報がコード化されており，前記コード化されたトリアージ識別情報を，利用者端末の撮像装置で読み取ることで，前記トリアージ識別情報をその利用者端末で取得する，災害時情報管理システムのように構成することができる。
【００３０】
上述の発明において，傷病者に割り当てられたトリアージタグに記載されたトリアージタグ識別情報を，利用者端末の撮像装置で撮像し，その画像をＯＣＲ機能でテキスト認識することで，前記トリアージ識別情報をその利用者端末で取得する，災害時情報管理システムのように構成することができる。
【００３１】
トリアージタグ識別情報は，傷病者を識別するもっとも重要な情報であり，傷病者の傷病の状況は，個々において異なる。そして医療従事者はその情報に基づいて治療にあたることから，傷病者の取り違え等は許されない。そこで，トリアージタグ識別情報の誤入力を防止するため，これらの発明を用いるとよい。
【発明の効果】
【００３２】
本発明の災害時情報管理システムを用いることによって，災害現場での医療活動の際に，各テントでの情報の連携を可能とせしめることによって，全体の傷病者の人数，各テントの傷病者の人数などの情報を適切に関することができる。また，それらを管理することで統計データとして自動的に集計することもできる。さらに，従来の，紙のトリアージタグをそのまま利用することもできる。
【図面の簡単な説明】
【００３３】
【図１】本発明の災害時情報管理システムの全体の構成の一例を模式的に示す図である。
【図２】本発明の災害時情報管理システムで用いるコンピュータのハードウェア構成の一例を模式的に示す図である。
【図３】本発明の災害時情報管理システムの全体の処理プロセスの一例を示すフローチャートである。
【図４】生理学的情報の入力受付処理の処理プロセスの一例を示すフローチャートである。
【図５】解剖学的情報の入力受付処理の処理プロセスの一例を示すフローチャートである。
【図６】ログイン画面の一例を模式的に示す図である。
【図７】メインメニュー画面の一例を模式的に示す図である。
【図８】傷病者登録画面の一例を模式的に示す図である。
【図９】重複登録の表示画面の一例を模式的に示す図である。
【図１０】傷病者情報入力画面の一例を模式的に示す図である。
【図１１】傷病者の登録確認画面の一例を模式的に示す図である。
【図１２】傷病者の登録完了画面の一例を模式的に示す図である。
【図１３】気道評価，処置内容の入力画面の一例を模式的に示す図である。
【図１４】呼吸評価，処置内容の入力画面の一例を模式的に示す図である。
【図１５】循環評価，処置内容の入力画面の一例を模式的に示す図である。
【図１６】図１５の入力画面に「ＦＡＳＴ施行」に関するポップアップ画面が表示された画面の一例を模式的に示す図である。
【図１７】図１５の入力画面に「ＦＡＳＴ施行」の入力欄が設けられた画面の一例を模式的に示す図である。
【図１８】意識評価，処置内容の入力画面の一例を模式的に示す図である。
【図１９】生理学的情報の入力内容の確認画面の一例を模式的に示す図である。
【図２０】生理学的情報入力の完了画面の一例を模式的に示す図である。
【図２１】頭部の評価内容の入力画面の一例を模式的に示す図である。
【図２２】顔面の評価内容の入力画面の一例を模式的に示す図である。
【図２３】頚部の評価内容の入力画面の一例を模式的に示す図である。
【図２４】胸部の評価内容の入力画面の一例を模式的に示す図である。
【図２５】腹部の評価内容の入力画面の一例を模式的に示す図である。
【図２６】四肢の評価内容の入力画面の一例を模式的に示す図である。
【図２７】体表の評価内容の入力画面の一例を模式的に示す図である。
【図２８】図２７の入力画面において，「熱傷深度」と「熱傷面積」に関するポップアップ画面が表示された画面の一例を模式的に示す図である。
【図２９】処置内容の入力画面の一例を模式的に示す図である。
【図３０】解剖学的情報の入力内容の確認画面の一例を模式的に示す図である。
【図３１】解剖学的情報入力の完了画面の一例を模式的に示す図である。
【図３２】バイタルサイン情報の入力画面の一例を模式的に示す図である。
【図３３】傷病者の検索を行う画面の一例を模式的に示す図である。
【図３４】傷病者情報記憶部の一例を模式的に示す図である。
【図３５】実施例２における災害時情報管理システムの全体の構成の一例を模式的に示す図である。
【図３６】利用者情報記憶部の一例を模式的に示す図である。
【図３７】図１３の入力画面において，音声入力を用いる場合の画面の一例を模式的に示す図である。
【図３８】一般的なトリアージの手順を模式的に示す図である。
【発明を実施するための形態】
【００３４】
本発明の災害時情報管理システム１の一例を図１に模式的に示す。本発明の災害時情報管理システム１は，本システムを利用する企業や組織，団体（以下，「組織等」という）が利用するサーバやパーソナルコンピュータ，可搬型通信端末などの各種のコンピュータで起動する。可搬型通信端末には，タブレット型コンピュータ，スマートフォンなどが含まれる。図２にコンピュータのハードウェア構成の一例を示す。コンピュータは，プログラムの演算処理を実行するＣＰＵなどの演算装置８０と，情報を記憶するＲＡＭやハードディスクなどの記憶装置８１と，ディスプレイなどの表示装置８２と，キーボードやポインティングデバイス（マウスやテンキーなど）などの入力装置８４と，演算装置８０の処理結果や記憶装置８１に記憶する情報をインターネットやＬＡＮなどのネットワークを介して送受信する通信装置８３とを有している。表示装置８２としてタッチパネルを用いている場合には，表示装置８２の機能と入力装置８４の機能とを兼ね備えている。
【００３５】
災害時情報管理システム１は，災害現場などでトリアージが行われる場合に利用されるコンピュータシステムであって，一次トリアージが行われるトリアージポスト，トリアージポストでの傷病の程度に基づいて振り分けられた傷病度合いに応じ，二次トリアージおよび安定化処置を行う各治療テント，安定化が完了した傷病者の搬送先となる病院，手段，順番を決定するための搬送エリア，トリアージポスト，治療テント，搬送エリアをそれぞれ指揮，管理する現場指揮本部などの各エリアにいる者からアクセスを受け付けて利用される。トリアージポスト，治療テント，搬送エリア，現場指揮本部などに配置された医師や看護師などの医療従事者やその支援員などを総称して利用者という。利用者が利用，操作するコンピュータを利用者端末３という。
【００３６】
災害時情報管理システム１は，制御サーバ２と，各エリアで利用されるコンピュータ（利用者端末３）などで構成されており，制御サーバ２と各エリアで利用されるコンピュータは，それぞれ有線または無線によって情報の送受信が可能である。
【００３７】
図１の災害時情報管理システム１では制御サーバ２が一台のコンピュータで実現される場合を示したが，複数台のコンピュータにその機能が分散配置され，実現されてもよい。また，本発明における各手段は，その機能が論理的に区別されているのみであって，物理上あるいは事実上は同一の領域を為していてもよい。
【００３８】
災害時情報管理システム１は，制御サーバ２と，各エリアで利用されるコンピュータ（利用者端末３）とで構成されている。各エリアで用いるコンピュータ（利用者端末３）としては，トリアージポストで用いられるトリアージポスト端末３１，傷病度合いに応じた各治療テントで用いられる治療テント端末３２，搬送エリアで用いられる搬送エリア端末３３，現場指揮本部で用いられる現場指揮本部端末３４がある。これらの各端末は，たとえば可搬型通信端末であり，治療にあたる医師や看護師などの医療従事者のほか，医療従事者を支援する者（支援員）が操作する。また，各エリアで用いるコンピュータとしては，一台ではなく複数台であってもよく，たとえば医療従事者や支援者がそれぞれ利用していてもよく，また，各自の可搬型通信端末を用いてもよい。
【００３９】
災害時情報管理システム１の制御サーバ２には，傷病者情報入力受付処理部２１と生理学的情報入力受付処理部２２と解剖学的情報入力受付処理部２３とバイタルサイン情報入力受付処理部２４と傷病者情報記憶部２５と傷病者情報表示処理部２６とを備える。
【００４０】
傷病者情報入力受付処理部２１は，災害現場から搬送された傷病者に関する情報の入力を利用者端末３から受け付ける。傷病者に関する情報（傷病者情報）としては，当該傷病者に付されたトリアージタグを識別するトリアージタグＩＤ（トリアージタグ識別情報），傷病度合い（トリアージタグの色），その傷病者の所在するエリア，ベッドを識別するベッド識別情報，災害弱者（児童，妊婦，高齢者，障害者など）であることを示す情報，氏名，生年月日，年齢または年代，性別，電話番号，住所など，当該傷病者の属性に関する情報の入力を受け付ける。傷病者情報入力受付処理部２１で受け付けた傷病者情報は，後述する傷病者情報記憶部２５に記憶する。傷病者情報の入力は，たとえば，トリアージポストで行われる場合にはトリアージポストにいる利用者である医師や看護師などの医療従事者やその支援員が利用するトリアージポスト端末３１から受け付け，各治療エリアで行われる場合には，各治療テントにいる利用者である医師や看護師などの医療従事者やその支援員が利用する治療テント端末３２から受け付ける。
【００４１】
生理学的情報入力受付処理部２２は，傷病者に対する生理学的評価とその処置の情報の入力を利用者端末３から受け付ける。生理学的評価とは，傷病者の生理的機能や生理学的な評価を行うものであり，たとえば気道，呼吸，循環，意識などについての評価がある。生理学的情報入力受付処理部２２で受け付けた評価および処置の情報は，後述する傷病者情報記憶部２５に記憶する。生理学的情報の入力は，たとえば，各治療エリアで行われる場合には，各治療テントにいる利用者である医師や看護師などの医療従事者やその支援員が利用する治療テント端末３２から受け付ける。
【００４２】
解剖学的情報入力受付処理部２３は，傷病者に対する解剖学的評価とその処置の情報の入力を利用者端末３から受け付ける。解剖学的評価とは，傷病者に対する解剖学的評価とその処置の情報の入力を受け付ける。解剖学的評価とは，傷病者の解剖学的な評価を行うものであり，たとえば頭部，顔面，頚部，胸部，腹部，四肢，体表などについての評価がある。解剖学的情報入力受付処理部２３で受け付けた評価および処置の情報は，後述する傷病者情報記憶部２５に記憶する。解剖学的情報の入力は，たとえば，各治療エリアで行われる場合には，各治療テントにいる利用者である医師や看護師などの医療従事者やその支援員が利用する治療テント端末３２から受け付ける。
【００４３】
なお，二次トリアージにおける生理学的評価，解剖学的評価は，たとえばＰＡＴ法による一例を説明したが，他の方法による傷病者の傷病に関する情報の入力を受け付けてもよい。
【００４４】
バイタルサイン情報入力受付処理部２４は，傷病者のバイタルサインに関する情報の入力を利用者端末３から受け付ける。バイタルサインとは，傷病者の生命に関するもっとも基本的な情報である，心拍数，呼吸数，血圧などに関する情報である。たとえば，酸素マスクの有無，呼吸数，血圧，脈拍数，ＳｐＯ２（経皮的動脈血酸素飽和度），瞳孔所見，対光反射，意識レベルなどに関する情報がある。呼吸数，血圧，脈拍数，ＳｐＯ２など医療機器によって継続的に測定できる数値は，医療従事者や支援員などによる利用者端末３への入力のほか，傷病者に取り付けた医療機器から利用者端末３に有線，無線を通じて自動的に取り込むように構成することもできる。
【００４５】
バイタルサイン情報入力受付処理部２４で受け付けたバイタルサインに関する情報は，後述する傷病者情報記憶部２５に記憶する。バイタルサイン情報の入力は，たとえば，各治療エリアで行われる場合には，各治療テントにいる利用者である医師や看護師などの医療従事者やその支援員が利用する治療テント端末３２から受け付ける。
【００４６】
生理学的情報，解剖学的情報，バイタルサイン情報の入力は，同一の利用者が入力操作を行ってもよいし，複数の利用者が自らが担当している範囲で入力を行ってもよい。
【００４７】
傷病者情報記憶部２５は，傷病者情報やその傷病者に対する生理学的情報，解剖学的情報，バイタルサイン情報などを対応付けて記憶する。傷病者情報記憶部２５の一例を図３４に示す。
【００４８】
傷病者情報表示処理部２６は，傷病者情報記憶部２５に記憶する傷病者情報，生理学的情報，解剖学的情報，バイタルサイン情報など，の各種情報の表示要求を利用者端末３から受け付け，それに対応する情報を傷病者情報記憶部２５から検索して利用者端末３に表示させる。また，利用者端末３から検索条件を受け付け，それに対応する情報を特定し，利用者端末３に表示させる。
【００４９】
たとえばトリアージポストにいる医療従事者や支援員である利用者が傷病者に関する各種情報や各エリアの情報を検索する場合には，トリアージポスト端末３１を操作して上記表示要求を制御サーバ２に送る。また，各治療テントにいる医療従事者や支援員である利用者が傷病者に関する各種情報や各エリアの情報を検索する場合には，治療テント端末３２を操作して上記表示要求を制御サーバ２に送る。さらに，搬送エリアにいる医療従事者や支援員である利用者が傷病者に関する各種情報や各エリアの情報を検索する場合には，搬送エリア端末３３を操作して上記表示要求を制御サーバ２に送る。加えて，現場指揮本部にいる医療従事者や支援員である利用者が傷病者に関する各種情報や各エリアの情報を検索する場合には，現場指揮本部端末３４を操作して上記表示要求を制御サーバ２に送る。
【００５０】
傷病者情報，生理学的情報，解剖学的情報，バイタルサイン情報などについては，同一の医療従事者や支援員である利用者がすべてを入力せずとも，異なる利用者が行ってもよい。また異なるタイミングで情報の入力や更新を行ってもよい。
【実施例１】
【００５１】
つぎに本発明の災害時情報管理システム１を用いた処理プロセスの一例を図３乃至図５のフローチャートを用いて説明する。
【００５２】
本発明の災害時情報管理システム１を利用する者，たとえば医療従事者やその支援員などの利用者は，トリアージポスト，各治療テント，搬送エリア，現場指揮本部などの各エリアに配置されており，それぞれが利用する可搬型通信端末などの利用者端末３から所定の方法により，制御サーバ２にアクセスをする。そして，図６に示すログイン画面を表示させ，あらかじめ登録されている電話番号などの利用者を識別する識別情報，パスワードなどの認証情報を利用者端末３で入力し，その情報を制御サーバ２に送り認証処理を実行する。
【００５３】
制御サーバ２で認証処理が正常に終了すると，図７に示すメインメニュー画面を各利用者端末３で表示させる。この認証処理が終了することによって，各利用者は災害時情報管理システム１を利用することが可能となる。
【００５４】
たとえば，治療テントに配置された医療従事者や支援員などの利用者は，その操作する利用者端末３である治療テント端末３２にメインメニュー画面（図７）を表示させ，メインメニュー画面における「傷病者登録」のボタンを押下することで，図８に示す傷病者登録画面を表示させて，傷病者情報の登録処理を開始する（Ｓ１００）。
【００５５】
そして各治療テントに配置された利用者は，トリアージポストから一次トリアージによって搬送されてきた傷病者を受け入れると，当該傷病者に割り当てられたトリアージタグの識別情報（トリアージタグＩＤ）を，治療テント端末３２に表示する傷病者登録画面に入力し，「確認」ボタンを押下する。これによって，傷病者の登録要求がトリアージタグＩＤとともに治療テント端末３２から制御サーバ２に送られ，制御サーバ２の傷病者情報入力受付処理部２１で受け付ける。傷病者情報入力受付処理部２１で登録要求とトリアージタグＩＤとを受け付けると，傷病者情報入力受付処理部２１では，トリアージタグＩＤに基づいて傷病者情報記憶部２５を検索し，同一のトリアージタグＩＤがあるかを判定する。なお，トリアージタグＩＤとしては，紙媒体のトリアージタグに記載されている識別情報を用いればよい。
【００５６】
同一のトリアージタグＩＤがあると判定した場合には，傷病者情報入力受付処理部２１は，当該トリアージタグＩＤに対応付けられた傷病者に関する情報を抽出して，図９に示す重複登録の表示画面を治療テント端末３２に表示させる。かかる画面が表示されることによって，トリアージタグの重複登録であることを利用者は認識することができる。
【００５７】
そして同一のトリアージタグＩＤが存在しない場合には，傷病者情報入力受付処理部２１は，傷病者情報記憶部２５にトリアージタグＩＤを追加して，新規の傷病者情報の項目を追加可能とする。
【００５８】
また，傷病者情報入力受付処理部２１は，図１０に示す傷病者情報入力画面を治療テント端末３２に表示させる。傷病者情報入力画面は，トリアージタグに示された傷病度合いを示すタグの色の情報，その傷病者の所在エリア，ベッド識別情報，災害弱者であるかを示す情報，氏名，生年月日，年齢や年代，性別，住所など当該傷病者属性情報など，傷病者情報の入力が可能な画面であって，医療従事者や支援員などの利用者は分かる範囲で情報の入力を行う。なお，分からない情報については，「不明」を選択することで，「不明」の情報が登録される。また，当該傷病者を識別可能とするため，「写真撮影」のボタンを押下することで，治療テント端末３２に備えられた撮像装置が起動し，当該傷病者を撮像可能とする。撮像された傷病者の写真情報（画像情報）は，属性情報の一種として取り扱われる。ここで傷病者を撮像可能とすることによって，傷病の程度がひどくても写真によって傷病者を識別することが可能となる。撮像された傷病者の写真情報（画像情報）は制御サーバ２の傷病者情報記憶部２５に記憶され，各利用者端末３から画像検索が可能となる。たとえば，傷病者が意識不明で自らの氏名を伝えることができない場合においても，家族などから提供された傷病者の写真情報（画像情報）を利用者端末３からアップすることによって，ＡＩ技術を応用した画像認識プログラムによって，アップされた写真情報（画像情報）と傷病者の写真情報（画像情報）とを比較して，類似度順に表示することが可能となる。また，傷病の程度がひどくても健常時の写真情報（画像情報）との特徴を見いだし，検索可能となる。なお，アップされた写真情報と傷病者の写真情報との比較については，たとえばそれぞれの写真情報に写っている顔の特徴点を抽出し，それらの特徴点の位置や距離などを比較することで類似度の判定を行う方法などを用いることができる。
【００５９】
傷病者情報入力画面に入力された画像情報を含む傷病者情報は，「確認」が押下されることで，治療テント端末３２から制御サーバ２に送られ，傷病者情報入力受付処理部２１は，それらの情報を一時的に記憶する。また図１１に示す傷病者の登録確認画面を治療テント端末３２に表示させる。図１１の傷病者の登録確認画面において，「登録」が押下されることで，治療テント端末３２から傷病者情報の登録要求が利用者端末３から傷病者情報入力受付処理部２１に送られ，それを受け付けた傷病者情報入力受付処理部２１は，一時的に記憶した傷病者情報をトリアージタグＩＤに対応付けて傷病者情報記憶部２５に記憶させる。これによって傷病者情報記憶部２５に，トリアージタグＩＤに対応付けて傷病者情報が記憶され，登録処理が実行される。そして登録が完了すると，傷病者情報入力受付処理部２１は，図１２に示す登録完了の画面を治療テント端末３２で表示させる。
【００６０】
なお，傷病者情報の登録処理は，トリアージポストで行われてもよいし，各治療テントで行われてもよい。
【００６１】
以上のようにして傷病者情報が登録された後，治療テントに搬送されている傷病者に対して，生理学的情報，解剖学的情報の入力が行われ，それらの情報を治療テント端末３２から制御サーバ２の生理学的情報入力受付処理部２２，解剖学的情報入力受付処理部２３が受け付けて，傷病者情報記憶部２５に記憶させる（Ｓ２００，Ｓ３００）。生理学的情報の入力受付処理，解剖学的情報の入力受付処理を，以下，説明する。
【００６２】
まず生理学的情報の入力受付処理を説明する。生理学的情報の入力を行う医療従事者またはその支援員は，たとえば図１２に示す登録完了の画面から，「プライマリー・サーベイを開始する」を押下することで，生理学的情報の入力処理の開始要求が治療テント端末３２から制御サーバ２に送られ，それを受け付けた制御サーバ２の生理学的情報入力受付処理部２２は，図１３に示す気道評価，処置内容の入力画面を治療テント端末３２において表示させる。すなわち，利用者は治療テント端末３２において，気道評価として，「窒息」，「顔面・頚部外傷」，「気道熱傷」，「異常なし」などの傷病者の気道に対する評価のいずれかを選択し，または「その他」としてテキスト入力を行い，また気道処置として，「エアウェイ」，「気管挿管」，「外科的気道確保」などの気道に対する処置内容のいずれかを選択し，または「その他」としてテキスト入力を行う。そして「決定」が押下されるなどの所定の操作がされることで，入力された情報およびトリアージタグＩＤが治療テント端末３２から生理学的情報入力受付処理部２２に送られ，それを受け付けた生理学的情報入力受付処理部２２では，トリアージタグＩＤに対応付けて一時的に記憶する（Ｓ２１０）。
【００６３】
また生理学的情報入力受付処理部２２は，図１４に示す呼吸評価，処置内容の入力画面を治療テント端末３２で表示させる。そして，利用者は治療テント端末３２において，呼吸評価として，「緊張性気胸」，「開放性気胸」，「フレイルチェスト」，「腹式呼吸」，「異常なし」などの傷病者の呼吸に対する評価のいずれかを選択し，または「その他」としてテキスト入力を行い，また呼吸処置として「気道確保」，「胸腔ドレーン」，「三点テーピング」，「外固定」，「内固定」などの呼吸に対する処置内容のいずれかを選択し，または「その他」としてテキスト入力を行う。そして「決定」が押下されるなどの所定の操作がされることで，入力された情報およびトリアージタグＩＤが治療テント端末３２から生理学的情報入力受付処理部２２に送られ，それを受け付けた生理学的情報入力受付処理部２２では，トリアージタグＩＤに対応付けて一時的に記憶する（Ｓ２２０）。
【００６４】
つぎに生理学的情報入力受付処理部２２は，図１５に示す循環評価，処置内容の入力画面を治療テント端末３２で表示させる。そして，利用者は治療テント端末３２において，循環評価として，「骨盤骨折」，「四肢外傷」，「穿通性外傷」，「腹腔内出血」，「大量血胸」，「心タンポナーデ」，「異常なし」などの傷病者の循環に対する評価のいずれかを選択し，または「その他」としてテキスト入力を行い，また循環処置として「気管挿管」，「輸液」，「胸腔ドレーン」，「心嚢穿刺」，「心嚢開窓」，「サムスリング」，「異物固定」，「シーネ固定」，「ショックパンツ」などの循環に対する処置内容のいずれかを選択する。
【００６５】
なお，「胸腔内出血」，「大量血胸」，「心タンポナーデ」が選択された場合には，図１６に示すようにポップアップ画面を表示し，「ＦＡＳＴ施行」をしたかの入力を受け付ける。「はい」の選択がされた場合には，図１７に示すように，図１５に示す画面に「ＦＡＳＴ施行」についての入力欄を表示させ，その入力を受け付ける。すなわち，「右胸腔」，「左胸腔」，「心のう液」，「モリソン窩」，「脾周囲」，「ダグラス窩」，「異常なし」などのＦＡＳＴ施行についての選択を受け付ける。
【００６６】
そして所定の操作がされることで，入力された情報およびトリアージタグＩＤが治療テント端末３２から生理学的情報入力受付処理部２２に送られ，それを受け付けた生理学的情報入力受付処理部２２では，トリアージタグＩＤに対応付けて一時的に記憶する（Ｓ２３０）。
【００６７】
つぎに生理学的情報入力受付処理部２２は，図１８に示す意識評価，処置内容の入力画面を治療テント端末３２で表示させる。そして利用者は治療テント端末３２において，意識評価として「頭部外傷」，「異常なし」などの傷病者の意識に対する評価のいずれかを選択し，または「その他」としてテキスト入力を行い，また意識処置として「気管挿管」，「酸素投与」などの処置内容のいずれかを選択し，または「その他」としてテキスト入力を行う。そして「決定」が押下されるなどの所定の操作がされることで，入力された情報およびトリアージタグＩＤが治療テント端末３２から生理学的情報入力受付処理部２２に送られ，それを受け付けた生理学的情報入力受付処理部２２では，トリアージタグＩＤに対応付けて一時的に記憶する（Ｓ２４０）。
【００６８】
なお，気道，呼吸，循環，意識についてはいずれの順番で入力が行われてもよい。
【００６９】
そして気道，呼吸，循環，意識の各生理学的情報の入力が行われると生理学的情報入力受付処理部２２は，一時的に記憶した各生理学的情報に基づいて，図１９に示す生理学的情報の入力内容の確認画面を治療テント端末３２に表示させ，入力内容の確認を促す（Ｓ２５０）。なお，後述するようにバイタルサイン情報入力受付処理部２４でバイタルサイン情報を受け付けている場合には，バイタル情報入力受付処理部で一時的に記憶したバイタルサイン情報も図１９に示す入力内容の確認画面に含めて表示をさせる。
【００７０】
もし入力内容に誤りがある場合には，「修正」が押下されることで，生理学的情報入力受付処理部２２は，対応する画面を治療テント端末３２で表示させて修正する情報の入力を受け付ける。また，入力内容に誤りがなく，そのまま登録をする場合には「完了」が押下されることで，生理学的情報入力受付処理部２２で一時的に記憶した生理学的情報の登録要求が治療テント端末３２から生理学的情報入力受付処理部２２に送られ，それを受け付けた生理学的情報入力受付処理部２２では，トリアージタグＩＤに基づいて，傷病者情報記憶部２５に記憶する。
【００７１】
生理学的情報入力受付処理部２２が生理学的情報を傷病者情報記憶部２５に記憶させると，図２０に示すように，生理学的情報入力の完了画面を治療テント端末３２に表示させ，次の処理，とくに解剖学的情報の入力を行うよう促す（Ｓ２６０）。そして図２０の完了画面において，「セカンダリー・サーベイを開始する」が押下されると，解剖学的情報の入力処理の開始要求が治療テント端末３２から制御サーバ２に送られ，それを受け付けた制御サーバ２の解剖学的情報入力受付処理部２３は，解剖学的情報入力受付処理部２３における解剖学的情報の入力処理を開始させる（Ｓ３００）。
【００７２】
すなわち，図２０の完了画面において，「セカンダリー・サーベイを開始する」が押下されると，解剖学的情報入力受付処理部２３は，図２１に示す頭部の評価内容の入力画面を治療テント端末３２に表示させる。そして利用者は治療テント端末３２において，頭部評価として，「裂傷」，「挫創」，「頭蓋骨骨折」，「異常なし」などの傷病者の頭部に対する評価のいずれかを選択し，または「その他」としてテキスト入力を行う。そして「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３１０）。
【００７３】
つぎに，解剖学的情報入力受付処理部２３は，図２２に示す顔面の評価内容の入力画面を治療テント端末３２で表示させる。そして利用者は治療テント端末３２において，顔面評価として「パンダ目徴候」，「バトルサイン」，「高度な損傷」，「髄液漏」，「異常なし」などの傷病者の顔面に対する評価のいずれかを選択し，または「その他」としてテキスト入力を行う。そして「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３２０）。
【００７４】
Ｓ３２０の処理の後，解剖学的情報入力受付処理部２３は，図２３に示す頚部の評価内容の入力画面を治療テント端末３２で表示させる。そして利用者は治療テント端末３２において，頚部評価として「皮下気腫」，「頸動脈怒張」，「気管変異」，「高度な損傷」，「異常なし」などの傷病者の頚部に対する評価のいずれかを選択し，または「その他」としてテキスト入力を行う。そして「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３３０）。
【００７５】
Ｓ３３０の処理の後，解剖学的情報入力受付処理部２３は，図２４に示す胸部の評価内容の入力画面を治療テント端末３２で表示させる。そして利用者は治療テント端末３２において，胸部評価として「皮下気腫」，「シーソー呼吸」，「異常なし」などの傷病者の胸部に対する評価のいずれかを選択し，または「その他」としてテキスト入力を行う。そして「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３４０）。
【００７６】
Ｓ３４０の処理の後，解剖学的情報入力受付処理部２３は，図２５に示す腹部の評価内容の入力画面を治療テント端末３２で表示させる。そして腹部評価として「圧痛」，「筋性防御」，「反張痛」，「膨隆」，「異常なし」などの傷病者の腹部に対する評価のいずれかを選択し，または「その他」としてテキスト入力を行う。そして「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３５０）。
【００７７】
Ｓ３５０の処理の後，解剖学的情報入力受付処理部２３は，図２６に示す四肢の評価内容の入力画面を治療テント端末３２で表示させる。そして四肢評価として「クラッシュ症候群」の有無，骨盤の各部位に対する「骨盤動揺」，左右の脚の「下肢長差」，四肢の各部位に対する「轢断」，四肢の各部位に対する「骨折」，四肢の各部位に対する「麻痺」などの傷病者の四肢に対する評価のいずれかを選択し，または「その他」としてテキスト入力を行う。そして「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３６０）。
【００７８】
Ｓ３６０の処理の後，解剖学的情報入力受付処理部２３は，図２７に示す体表の評価内容の入力画面を治療テント端末３２で表示させる。そして体表評価として「長時間の圧挫」がある部位，「熱傷」がある部位とその程度などの傷病者の体表に対する評価のいずれかを選択し，または「その他」としてテキスト入力を行う。とくに，「熱傷」に対する評価を行う場合，熱傷のある箇所として，模式的に表示されている人体の頭部，胸部前，胸部後，陰部，左上肢，右上肢，左下肢，右下肢などの領域の選択を受け付けることで，図２８に示すように，「熱傷深度」と「熱傷面積」の入力を行うポップアップ画面を表示させ，その入力を受け付ける。このようにして，「圧挫」および「熱傷」などの体表評価内容の入力を受け付けて，「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３７０）。
【００７９】
Ｓ３１０乃至Ｓ３７０の各画面で解剖学的情報の評価の入力を受け付けると，図２９に示す処置内容の入力画面を治療テント端末３２で表示させる。そして処置内容として，「全脊柱固定」，「ネックカラー」，「輸液」，「固定」，「圧迫止血」，「熱傷処置」，「ＮＧ挿入」，「バルン挿入」などのいずれかを選択し，または「その他」としてテキスト入力を行う。そして「決定」が押下されるなどの所定の操作がされることで，入力された情報およびトリアージタグＩＤが治療テント端末３２から解剖学的情報入力受付処理部２３に送られ，それを受け付けた解剖学的情報入力受付処理部２３では，トリアージタグＩＤに対応付けて一時的に記憶する（Ｓ３８０）。
【００８０】
なお，頭部，顔面，頚部，胸部，腹部，四肢，体表の各評価および処置内容については，いずれの順番で入力が行われてもよい。
【００８１】
そして頭部，顔面，頚部，胸部，腹部，四肢，体表の各評価および処置内容の解剖学的情報の入力が行われると解剖学的情報入力受付処理部２３は，一時的に記憶した解剖学的情報に基づいて，図３０に示す解剖学的情報の入力内容の確認画面を治療テント端末３２に表示させ，入力内容の確認を促す（Ｓ３９０）。
【００８２】
もし入力内容に誤りがある場合には，「修正」が押下されることで，解剖学的情報入力受付処理部２３は，対応する画面を治療テント端末３２で表示させて修正する情報の入力を受け付ける。また，入力内容に誤りがなく，そのまま登録をする場合には「完了」が押下されることで，解剖学的情報入力受付処理部２３で一時的に記憶した解剖学的情報の登録要求が治療テント端末３２から解剖学的情報入力受付処理部２３に送られ，それを受け付けた解剖学的情報入力受付処理部２３では，トリアージタグＩＤに基づいて，傷病者情報記憶部２５に記憶する。
【００８３】
解剖学的情報入力受付処理部２３が解剖学的情報を傷病者情報記憶部２５に記憶させると，図３１に示すように，解剖学的情報入力の完了画面を治療テント端末３２に表示させる（Ｓ４００）。
【００８４】
解剖学的情報の入力のあと，または，生理学的情報の入力受付処理，解剖学的情報の入力受付処理の各画面における「バイタルサイン入力」のボタンが押下されることで，治療テント端末３２からバイタルサイン情報の入力要求が制御サーバ２に送られる。そして制御サーバ２のバイタルサイン情報入力受付処理部２４はバイタルサイン情報の入力要求を受け付けると，図３２に示すバイタルサイン情報の入力画面を治療テント端末３２で表示させる。そして利用者は治療テント端末３２において，酸素マスクの有無，呼吸数，血圧（最高，最低，測定不能），脈拍数，ＳｐＯ２，瞳孔所見，対光反射，意識レベルについてのバイタルサイン情報の入力を行う。「保存」が押下されることで，バイタルサイン情報入力受付処理部２４は，各バイタルサイン情報の登録要求が治療テント端末３２からバイタルサイン情報入力受付処理部２４に送られ，それを受け付けたバイタルサイン情報入力受付処理部２４では，トリアージタグＩＤに基づいて，バイタルサイン情報を傷病者情報記憶部２５に記憶させる（Ｓ５００）。
【００８５】
以上のような各処理を実行することで，傷病者情報，生理学的情報，解剖学的情報がそれぞれ対応付けられて，傷病者情報記憶部２５に記憶されることとなる。なお，各情報の入力の際にはその情報の入力日時，入力者の識別情報（たとえば氏名など）があわせて自動的に記憶されるとよい。
【００８６】
傷病者に関する情報の閲覧を所望する利用者，たとえばあらたな傷病者の治療にあたるトリアージポスト，治療テント，搬送エリアにいる医師や看護師などの医療従事者やその支援員などの利用者は，トリアージポスト端末３１，治療テント端末３２，搬送エリア端末３３などを操作して，たとえば図７に示すメインメニュー画面を表示させる。そして，メインメニュー画面から「傷病者検索」を押下することで，傷病者の検索要求がトリアージポスト端末３１，治療テント端末３２または搬送エリア端末３３などの利用者端末３から制御サーバ２に送られる。制御サーバ２の傷病者情報表示処理部２６は，図３３に示す傷病者の検索を行う画面をトリアージポスト端末３１，治療テント端末３２または搬送エリア端末３３に表示させ，そこに，たとえばトリアージタグＩＤなどを入力する，あるいは傷病者の健常時の写真情報（画像情報）をアップロードすることで，対応する傷病者の各種情報の表示要求をトリアージポスト端末３１，治療テント端末３２または搬送エリア端末３３から制御サーバ２に送る。制御サーバ２の傷病者情報表示処理部２６では，傷病者の情報の表示要求を受け付けると，トリアージタグＩＤに基づいて傷病者情報記憶部２５を検索し，該当するトリアージタグＩＤに対応する傷病者情報，生理学的情報，解剖学的情報，バイタルサイン情報などを抽出し，それらを表示要求を行った利用者端末３に送る。このような操作によって，あらたな傷病者の治療にあたるトリアージポスト，治療テント，搬送エリアにいる医師や看護師などの医療従事者やその支援員などの利用者は，トリアージポスト端末３１，治療テント端末３２または搬送エリア端末３３で，所望の傷病者の各種情報を適宜，閲覧することができる。
【００８７】
傷病者情報記憶部２５には，当該傷病者が現在，どのエリアにいるかを示す情報を記憶しているとよい。たとえば，エリアを示す情報として，「トリアージポスト」，「治療テント（黒）」，「治療テント（赤）」，「治療テント（黄）」，「治療テント（緑）」，「搬送エリア」，「搬送済」などがある。また搬送済に加え，どの病院に搬送したかを示す，搬送先の病院を識別する病院名などの識別情報を記憶していてもよい。傷病者の所在エリアを示す情報は，当該傷病者のエリア間の搬送を行う者が入力を行う。所在エリアの変更を行った場合，その変更の入力をした入力日時，変更の入力をした利用者の識別情報（たとえば氏名など）が併せて自動的に記憶される。
【００８８】
たとえば搬送を行う者は，図７に示すメインメニュー画面から「傷病者検索」を押下することで，図３３に示す傷病者の情報の検索要求が利用者端末３から制御サーバ２に送られる。制御サーバ２の傷病者情報表示処理部２６は，傷病者の情報の検索を行う画面を利用者端末３に表示させる。そして当該傷病者の情報を表示させた後，所定の操作を行うことで，当該傷病者の所在エリアの情報の入力（変更入力）を行う。ここで入力した情報は，利用者端末３から制御サーバ２に送られ，制御サーバ２の傷病者情報表示処理部２６で受け付けると，トリアージタグＩＤに基づいて，傷病者情報記憶部２５に記憶する当該傷病者の所在エリアの情報を更新する。たとえば「治療テント（黄）」から「搬送エリア」の取扱いに変更された場合，当該傷病者の所在エリアの情報として「搬送エリア」を選択して入力することで，傷病者情報記憶部２５に記憶する当該傷病者の所在を示す情報を「治療テント（黄）」から「搬送エリア」に更新する。この際に，当該傷病者の実際の所在場所を示すため，所在する治療テントの情報が付加されていてもよい。上述の例では，たとえば傷病者の所在を示す情報として「搬送エリア（治療テント（黄））」のようになっていてもよい。なお，上述のように，「治療テント」から「搬送エリア」に取扱いが変更された場合であっても，当該傷病者は，「搬送エリア」に移動するのではなく，当該傷病者の取扱いが搬送エリアの担当になり，傷病者情報が搬送エリアに送られる，という意味である。
【００８９】
傷病者の所在を示す情報は，自動的に行ってもよい。たとえば，傷病者の治療や情報入力を行う利用者が利用する利用者端末３に位置情報検出装置（ＧＰＳなど）を備えておき，それによって当該利用者の位置情報を検出する。また，あらかじめ災害現場に各エリアを位置情報に基づいて設定しておく。傷病者の所在エリアの情報は，利用者端末３で検出した位置情報を制御サーバ２に送り，それを制御サーバ２の傷病者情報入力受付処理部２１で受け付けることで，検出した位置情報（入力を受け付けた位置情報）と各エリアの位置情報とを比較し，当該利用者が治療や情報入力を行ったエリアを特定する。そして特定したエリアを当該傷病者の所在エリアとして，制御サーバ２の傷病者情報記憶部２５に反映，記憶させるように構成してもよい。
【００９０】
現場指揮本部にいる医師や看護師の医療従事者やその支援員である利用者が，各エリアにいる傷病者の人数などの情報を所望する場合，現場指揮本部端末３４に，たとえば図７に示すメインメニュー画面を表示させる。そしてメインメニュー画面から「赤テント」などを押下することで，傷病者情報記憶部２５に傷病者の所在エリアの情報として「治療テント（赤）」が記憶されている傷病者の情報の検索要求が現場指揮本部端末３４から制御サーバ２に送られる。制御サーバ２の傷病者情報表示処理部２６は，上記検索要求を受け付けると，傷病者情報記憶部２５に「治療テント（赤）」の所在エリアの情報が記憶されている傷病者を特定し，特定した傷病者の情報，たとえば傷病者情報，生理学的情報，解剖学的情報，バイタルサイン情報などを抽出する。また傷病者情報表示処理部２６は，特定した傷病者の数をカウントする。そして，傷病者情報表示処理部２６は，カウントした傷病者の数や，抽出した傷病者の情報を現場指揮本部端末３４に送り，現場指揮本部端末３４でそれらの情報を表示させる。これによって，現場指揮本部でも，リアルタイムで各所在エリアにいる傷病者の数などの統計情報や，傷病者に関する情報を把握することができ，また情報伝達のミスも発生しない。そのため，各エリアにいる傷病者やトリアージの状況を総合的に管理することができる。
【００９１】
また，あらかじめ制御サーバ２に登録しておいたバイタルサイン情報の閾値やトリアージ結果のルールに基づき，ＡＩ（コンピュータ）が傷病者の容態が急変したと判断して，現場指揮本部端末３４にアラートを通知することができる。これにより，たとえば相対的に症状が軽いとトリアージポスト（一次トリアージ）で判断され，緑テント，黄色テントにいる傷病者の容態が悪化したことを気づくことができるほか，比較的経験が浅い医療従事者や支援員が情報を入力した場合でも，容態の悪化に気づくことができるようになる。
【００９２】
現場指揮本部にいる医師や看護師の医療従事者やその支援員である利用者が，統計情報を所望する場合，現場指揮本部端末３４に，たとえば図７に示すメインメニュー画面を表示させる。そしてメインメニュー画面から「クロノロジー」などを押下することで，傷病者情報記憶部２５に各所在エリアにいる傷病者の統計情報の検索要求が現場指揮本部端末３４から制御サーバ２に送られる。制御サーバ２の傷病者情報表示処理部２６は，上記検索要求を受け付けると，傷病者情報記憶部２５に記憶する各傷病者の所在を示す情報に基づいて，それぞれの所在場所ごとの傷病者の人数をカウントし，その情報を現場指揮本部端末３４に表示させる。さらに，傷病者の人数のほか，必要な統計情報の条件，たとえば，傷病の程度や特定の症状を有する傷病者の人数や傷病者を指定することで，時刻ごとの該当する情報を傷病者情報記憶部２５から検索して，その結果を現場指揮本部端末３４に返す。このように，時系列情報にしたがって，傷病者の人数の時系列変化を表形式で出力することも可能となる。
【００９３】
さらに，クロノロジーとして必要な情報を，テキストや音声によって入力可能となっていてもよい。すなわち，災害現場で発生したさまざまな状況をテキストや音声によって入力する画面を表示させ，そこに入力がなされる。入力する内容としては，情報の発信元，情報の内容などがある。情報の発信元としては，自治体，消防，警察，自衛隊，現場指揮本部などトリアージに関する情報の発信元が該当する。情報の内容としては，災害の発生，患者の搬送計画の決定，患者の搬送開始などがある。クロノロジーに関する情報は，現場指揮本部にいる医師や看護師の医療従事者やその支援員である利用者が利用する現場指揮本部端末３４などから入力が行われ，それを制御サーバ２のクロノロジーに関する情報の入力を受け付ける処理部（図示せず）で受け付け，受け付けた情報は，クロノロジーに関する情報を記憶する記憶部（図示せず）に記憶させる。そして，ほかの利用者（現場指揮本部の利用者も含む）が利用する利用者端末３からクロノロジーの情報を表示させる操作を制御サーバ２で受け付けることで，当該記憶部に記憶した情報が当該利用者端末３に送られ，その端末で表示される。なお，音声入力については，後述する。
【実施例２】
【００９４】
さらに本発明の別の実施態様として，図３５に示すように，各エリアにおける医師や看護師などの医療従事者，支援員などの利用者の情報を管理していてもよい。図３５に，本実施態様における災害時情報管理システム１の全体の構成の一例を模式的に示す。
【００９５】
本実施態様の災害時情報管理システム１の制御サーバ２では，さらに，利用者情報記憶部２７と利用者判定処理部２８とを有している。
【００９６】
利用者情報記憶部２７は，医師や看護師などの医療従事者，支援員などの利用者に関する情報を記憶する。たとえば利用者を識別する識別情報（利用者ＩＤ），氏名，所属（医療機関名など），地位（医師，看護師，支援員など），配置エリアなどの情報を記憶している。図３６に利用者情報記憶部２７の一例を模式的に示す。
【００９７】
利用者判定処理部２８は，傷病者情報記憶部２５と利用者情報記憶部２７とを参照し，エリアごとの傷病者数と利用者数（医師，看護師，支援員の数）とを比較し，不足しているまたは超過しているかを判定し，不足又は超過していることを判定した場合に，所定の通知を利用者端末３に行う。エリアごとの傷病者数と利用者数との比較に基づく，利用者の不足，超過の判定条件となる閾値は比率で定められていてもよいし，人数が定められていてもよい。これらの判定条件は，制御サーバ２の所定の記憶装置８１において記憶されている。
【００９８】
たとえば「治療テント（赤）」の傷病者数と医師数との対応関係が２対１（判定条件となる閾値）と設定されていたとする。利用者判定処理部２８は，適宜，傷病者情報記憶部２５に記憶する各傷病者の所在エリアの情報に基づいて，エリアごとの傷病者数を算出し，また利用者情報記憶部２７におけるエリアごとの利用者数，さらには地位ごとの利用者数を算出する。そして，「治療テント（赤）」の傷病者数が１５人であり医師の数７人と判定されたとすると，上記閾値と比較すると医師数が不足していると判定できるので，それを現場指揮本部端末３４に通知をする。この通知を閲覧した現場指揮本部端末３４の利用者は，図７のメインメニュー画面における「クロノロジー」を押下することで，エリアごとの医師数を確認した上で，余裕があるエリアにいる医師の利用者端末３に対して，「治療テント（赤）」に移動するようにメッセージでの通知を行う。なお，メッセージでの通知としては，不足しているエリアへの移動の通知のほか，不足しているエリアがあることの通知など，当該不足しているエリアに関する通知であればよい。
【００９９】
また，現場指揮本部端末３４に通知するほか，利用者判定処理部２８は，エリアごとの傷病者数と医師数とを算出し，判定条件となる閾値に基づいて，医師数が不足しているエリアを判定する。また，医師数が不足しておらず，かつ医師数にもっとも余裕があるエリア（判定条件となる閾値を充足しており，かつ閾値からもっとも乖離しているエリア），たとえば「治療テント（緑）」を特定する。そして，特定したエリア（上述の例では治療テント（緑））の医師を利用者情報記憶部２７に記憶する配置エリアの情報に基づいて特定し，そのエリアにいる全てまたは一部の医師，あるいは医師が不足するエリアの不足数（上述の例では一人）に対応する数の医師が利用する利用者端末３に対して，不足しているエリア（上述の例では治療テント（赤））に移動するようにメッセージで自動的に通知をする。
【０１００】
なお，利用者判定処理部２８は，医師数にもっとも余裕があるエリアを特定することに限られず，医師数に余裕があるエリア（判定条件となる閾値を充足しているエリア）を特定するだけであってもよい。
【０１０１】
利用者判定処理部２８は，医師数の判定のみを行うのではなく，看護師や支援員についての，判定条件となる閾値も記憶しておき，それらの利用者に対しても上述と同様の判定処理を行ってもよい。
【０１０２】
また，医療従事者や支援員などの利用者に対して通知を行う場合，入力を行っている利用者を除外してもよい。すなわち，傷病者情報記憶部２５の入力の日時情報と入力を行った氏名などの利用者識別情報とを参照し，判定から所定時間前（たとえば５分以内など）に入力の履歴がある利用者は通知から除外した上で，その入力の履歴がない利用者に対して通知を行ってもよい。
【０１０３】
医師や看護師などの医療従事者や支援員などの利用者の配置エリアの情報は，各利用者が，担当するエリアを移動した場合に，自らが利用者端末３から所定の操作をすることで，その配置エリアの情報を変更し，利用者情報記憶部２７に記憶させることができる。また，治療を担当する傷病者の所在エリアの情報と同一のエリアの情報を利用者情報記憶部２７に反映させてもよい。
【０１０４】
さらに，医療従事者や支援員の配置エリアの情報は，自動的に更新してもよい。たとえば，利用者端末３に位置情報検出装置（ＧＰＳなど）を備えておき，それによって位置情報を検出する。また，あらかじめ災害現場に各エリアを位置情報に基づいて設定しておく。そして利用者の配置エリアの情報は，利用者端末３で検出した位置情報を制御サーバ２に送り，それを制御サーバ２において，受け取った位置情報と各エリアの位置情報とを比較することで，当該利用者がいるエリアを特定する。そして，特定したエリアを制御サーバ２の利用者情報記憶部２７に反映，記憶させるように構成してもよい。
【実施例３】
【０１０５】
上述の各実施例においては，トリアージタグに表示されたトリアージタグＩＤを入力する場合を説明したが，トリアージタグＩＤをコード化して表示しておき，それを利用者端末３の撮像装置で読み取ってもよい。またトリアージタグに表示されたトリアージタグＩＤを撮像装置で読み取り，それを利用者端末３に備えたＯＣＲ機能で自動的にテキスト認識してもよい。
【実施例４】
【０１０６】
上述の各実施例における傷病者情報入力受付処理部２１，生理学的情報入力受付処理部２２，解剖学的情報入力受付処理部２３，バイタルサイン情報入力受付処理部２４で入力を受け付ける各情報や，クロノロジーで入力を受け付ける情報について，たとえば各利用者端末３において表示されている画面の選択肢を選択する，文字入力を行うなどの入力方法を用いる場合を説明したが，音声入力による入力方法を用いてもよい。
【０１０７】
またすべてを音声入力で行うのではなく，各画面において選択肢で選択可能な部分は画面に対する操作の入力を受け付け，「その他」の項目などのテキストによる入力（自由文による入力）について音声での入力を受け付けてもよい。
【０１０８】
図１３の入力画面における入力方法として音声入力を用いる場合の入力画面の一例を図３７に示す。図３７の入力画面は気道評価，処置内容の入力画面である。図１３の気道評価，処置内容の入力画面では，気道評価として，「窒息」，「顔面・頚部外傷」，「気道熱傷」，「異常なし」などの傷病者の気道に対する評価のいずれかを選択し，または「その他」としてテキスト入力を行い，また気道処置として，「エアウェイ」，「気管挿管」，「外科的気道確保」などの気道に対する処置内容のいずれかを選択し，または「その他」としてテキスト入力が行われる。しかし，選択肢による選択はすぐに行えるが，テキスト入力については時間を要することとなる。そのため，入力時間の節約のため，テキスト入力を行える項目については，図３７の入力画面では音声入力も行えるように構成している。
【０１０９】
図３７の入力画面では，テキスト入力を行う「その他」の領域に，音声入力が行えることを示すアイコンを表示させている。このアイコンの選択を受け付けると，利用者端末３におけるマイク機能などが起動し，医療従事者や支援員などの利用者は，入力すべき情報を口頭で発話する。この発話音声を利用者端末３におけるマイク機能が集音し，「その他」に入力された情報として利用者端末３から，音声認識を行うＡＰＩを備えたサーバ（クラウドサーバなど）に送られる。そして認識結果が利用者端末３に返されるので，そのテキストを，ほかの選択肢の選択による情報と併せて，利用者端末３が，制御サーバ２の傷病者情報入力受付処理部２１，生理学的情報入力受付処理部２２，解剖学的情報入力受付処理部２３，バイタルサイン情報入力受付処理部２４に送るように構成することができる。傷病者情報入力受付処理部２１，生理学的情報入力受付処理部２２，解剖学的情報入力受付処理部２３，バイタルサイン情報入力受付処理部２４で情報の入力を受け付けたい後の処理は，実施例１乃至実施例３と同様である。
【０１１０】
クロノロジーに関する情報を音声で入力する場合も上記と同様に行え，図７のメインメニューの画面に表示された「クロノロジー」が押下されることで表示される，クロノロジーに関する情報を入力するための画面に備えられた，音声入力が行えることを示すアイコンの選択を受け付けることで，利用者端末３におけるマイク機能などが起動し，医療従事者や支援員などの利用者は，入力すべき情報を口頭で発話して，音声入力が行われる。そして入力された発話音声の情報は利用者端末３から，音声認識を行うＡＰＩを備えたサーバ（クラウドサーバなど）に送られる。そして認識結果が利用者端末３に返されるので，そのテキストを，ほかの選択肢の選択による情報と併せて，利用者端末３が，制御サーバ２に送るように構成する。そして，制御サーバ２のクロノロジーに関する情報の入力を受け付ける処理部は，その情報の入力を受け付け，クロノロジーに関する情報を記憶する記憶部に記憶させる。
【０１１１】
なお，音声認識を行うＡＰＩとしては，たとえばWeb speech API，Google Cloud Speech API，Microsoft Bing Speech API，Amazon Alexa，LINEなどを用いることができるが，これらに限定されるものではない。
【０１１２】
ＡＰＩを用いてテキスト情報に変換した場合，複数の候補が結果として返される場合がある。そのような場合に備えて，利用者端末３において，医療辞書情報を記憶する記憶部（医療辞書情報記憶部（図示せず））を設けておき，返された結果のうち，医療辞書情報記憶部を参照して，医療辞書情報記憶部に記憶されている結果を優先的にテキスト変換の対象とする。なお，医療辞書情報記憶部は制御サーバ２に備えていてもよい。この場合，傷病者情報入力受付処理部２１，生理学的情報入力受付処理部２２，解剖学的情報入力受付処理部２３，バイタルサイン情報入力受付処理部２４，クロノロジーに関する情報の入力を受け付ける処理部で利用者端末３から入力を受け付けた選択肢の情報，テキスト情報のうち，テキスト情報について医療辞書情報記憶部を参照することで，医療辞書情報記憶部に記憶する医療用語などに該当する単語などを，変換した上で各処理部において一時記憶してもよい。
【０１１３】
以上のような構成を備えることで，音声入力を用いることが可能となる。
【０１１４】
また，本発明の災害時情報管理システム１が用いられる状況は，必ずしも通信状況がよい環境とは限らない。たとえば通信状況がよくない地方や山岳地域なども想定される。そこで，利用者端末３がＡＰＩを備えたクラウドサーバなどと通信ができない，または通信が困難である場合，利用者端末３に音声入力による情報を一時記憶させておき，通信が接続または改善した場合に，音声入力による情報を音声認識を行うＡＰＩを備えたサーバ（クラウドサーバなど）に送るように構成してもよい。
【産業上の利用可能性】
【０１１５】
本発明の災害時情報管理システム１を用いることによって，災害現場での医療活動の際に，各テントでの情報の連携を可能とせしめることによって，全体の傷病者の人数，各テントの傷病者の人数などの情報を適切に関することができる。また，それらを管理することで統計データとして自動的に集計することもできる。さらに，従来の，紙のトリアージタグをそのまま利用することもできる。
【符号の説明】
【０１１６】
１：災害時情報管理システム
２：制御サーバ
３：利用者端末
２１：傷病者情報入力受付処理部
２２：生理学的情報入力受付処理部
２３：解剖学的情報入力受付処理部
２４：バイタルサイン情報入力受付処理部
２５：傷病者情報記憶部
２６：傷病者情報表示処理部
２７：利用者情報記憶部
２８：利用者判定処理部
３１：トリアージポスト端末
３２：治療テント端末
３３：搬送エリア端末
３４：現場指揮本部端末
８０：演算装置
８１：記憶装置
８２：表示装置
８３：通信装置
８４：入力装置
【図１】
2018120263.tif 000003
【図２】
2018120263.tif 000004
【図３】
2018120263.tif 000005
【図４】
2018120263.tif 000006
【図５】
2018120263.tif 000007
【図６】
2018120263.tif 000008
【図７】
2018120263.tif 000009
【図８】
2018120263.tif 000010
【図９】
2018120263.tif 000011
【図１０】
2018120263.tif 000012
【図１１】
2018120263.tif 000013
【図１２】
2018120263.tif 000014
【図１３】
2018120263.tif 000015
【図１４】
2018120263.tif 000016
【図１５】
2018120263.tif 000017
【図１６】
2018120263.tif 000018
【図１７】
2018120263.tif 000019
【図１８】
2018120263.tif 000020
【図１９】
2018120263.tif 000021
【図２０】
2018120263.tif 000022
【図２１】
2018120263.tif 000023
【図２２】
2018120263.tif 000024
【図２３】
2018120263.tif 000025
【図２４】
2018120263.tif 000026
【図２５】
2018120263.tif 000027
【図２６】
2018120263.tif 000028
【図２７】
2018120263.tif 000029
【図２８】
2018120263.tif 000030
【図２９】
2018120263.tif 000031
【図３０】
2018120263.tif 000032
【図３１】
2018120263.tif 000033
【図３２】
2018120263.tif 000034
【図３３】
2018120263.tif 000035
【図３４】
2018120263.tif 000036
【図３５】
2018120263.tif 000037
【図３６】
2018120263.tif 000038
【図３７】
2018120263.tif 000039
【図３８】
2018120263.tif 000040